(57)【要約】  【課題】適切な記録パワーを容易に設定することのできる光情報記録装置及び光情報記録方法を提供する。  【解決手段】所定記録パワーの青色レーザを照射することによりディスク１０に情報を記録するドライブ１００において、記録パワーを変化させたテスト記録を行い、該テスト記録の再生信号におけるアシンメトリ値に基づいて記録パワーを設定するステップＳ１０６と、記録パワーを変化させたテスト記録を行い、該テスト記録の再生信号における最長記録マーク８Ｔの変調度ｍに基づいて記録パワーを設定するステップＳ１１０と、ディスク１０に記録されたＯＰＣ方式に基づいて、ステップＳ１０６及びステップＳ１１０のうち何れか一方を選択するステップＳ１０４とを備える。【選択図】  図４
2008140523.tif 000002
【特許請求の範囲】
【請求項１】
所定記録パワーの青色レーザを照射することにより光情報記録媒体に情報を記録する光情報記録装置において、
記録パワーを変化させたテスト記録を行い、該テスト記録の再生信号におけるアシンメトリ値に基づいて記録パワーを設定するアシンメトリ値記録パワー設定手段と、
記録パワーを変化させたテスト記録を行い、該テスト記録の再生信号における最長記録マークの変調度に基づいて記録パワーを設定する変調度記録パワー設定手段と、
光情報記録媒体に記録された所定の情報に基づいて、アシンメトリ値記録パワー設定手段及び変調度記録パワー設定手段のうち何れか一方を選択する選択手段とを備えた
ことを特徴とする光情報記録装置。
【請求項２】
前記アシンメトリ値記録パワー設定手段は、テスト記録の再生信号におけるアシンメトリ値が光情報記録媒体に対して設定された目標アシンメトリ値になるときの記録パワーを設定する手段を有する
ことを特徴とする請求項１に記載の光情報記録装置。
【請求項３】
前記変調度記録パワー設定手段は、テスト記録の再生信号における最長記録マークの変調度の記録パワーに対する変化率を算出し、算出された変調度変化率が光情報記録媒体に対して設定された目標変調度変化率になるときの記録パワーに基づいて記録パワーを設定する手段を有する
ことを特徴とする請求項１に記載の光情報記録装置。
【請求項４】
所定記録パワーの青色レーザを照射することにより光情報記録媒体に情報を記録する光情報記録方法において、
光情報記録媒体に記録された所定の情報に基づいて、アシンメトリ値に基づく記録パワーの設定及び変調度に基づく記録パワーの設定のうち何れか一方を選択し、
アシンメトリ値に基づく記録パワーの設定が選択されたときに、記録パワーを変化させたテスト記録を行い、該テスト記録の再生信号におけるアシンメトリ値に基づいて記録パワーを設定し、
変調度に基づく記録パワーの設定が選択されたときに、記録パワーを変化させたテスト記録を行い、該テスト記録の再生信号における最長記録マークの変調度に基づいて記録パワーを設定する
ことを特徴とする光情報記録方法。
【請求項５】
前記アシンメトリ値に基づく記録パワーの設定時に、テスト記録の再生信号におけるアシンメトリ値が光情報記録媒体に対して設定された目標アシンメトリ値になるときの記録パワーを設定する
ことを特徴とする請求項４に記載の光情報記録方法。
【請求項６】
前記変調度に基づく記録パワーの設定時に、テスト記録の再生信号における最長記録マークの変調度の記録パワーに対する変化率を算出し、算出された変調度変化率が光情報記録媒体に対して設定された目標変調度変化率になるときの記録パワーに基づいて記録パワーを設定するステップを有する
ことを特徴とする請求項４に記載の光情報記録方法。
【発明の詳細な説明】
【技術分野】
【０００１】
本発明は、例えば、ＢＤ−Ｒ、ＨＤ  ＤＶＤ−Ｒ等の青色レーザにより書込み可能な光情報記録媒体に情報を記録する光情報記録装置、及び光情報記録方法に関するものである。
【背景技術】
【０００２】
従来、赤色レーザを用いた光情報記録装置として、光情報記録装置の使用環境、光情報記録媒体の種類等に応じて変動する最適記録パワーを設定するため、光情報記録媒体の感度のばらつきやレーザダイオードの波長変動等を考慮した複数レベルの記録パワーでテスト記録を行い、テスト記録のＲＦ信号から各記録パワーでのβ値を求め、図７に示すように各β値を直線近似してその直線上において目標β値β０となるときの記録パワーを最適記録パワーＰ０として設定するようにしたものが知られている（例えば、特許文献１参照）。
【特許文献１】特開平９−１３４４０３号公報
【発明の開示】
【発明が解決しようとする課題】
【０００３】
一方、光情報記録装置及び光情報記録媒体はさらなる高速化、大容量化が求められており、この要望に応えるものとして青色レーザを用いる光情報記録装置（以下、単にドライブという）と青色レーザに対応する光情報記録媒体（以下、単にディスクという）がある。
【０００４】
従来のドライブでは、ＰＲＭＬ（Partial Response Maximum Likelihood）のような信号処理を行うため、ＲＦ信号におけるβ値に基づいて記録パワーを制御しても適切な記録パワーを設定できない場合があり、ＲＦ信号におけるアシンメトリ値に基づいて適切な記録パワーを設定していた。
【０００５】
しかしながら、青色レーザに対応するディスクの中には、アシンメトリ値が記録パワーの変化に対して直線状に変化しないものがあるため、ＲＦ信号におけるアシンメトリ値に基づいて適切な記録パワーを設定することができないという問題点があった。
【０００６】
本発明は、上記事情に鑑みてなされたものであり、その目的とするところは、適切な記録パワーを容易に設定することのできる光情報記録装置及び光情報記録方法を提供することにある。
【課題を解決するための手段】
【０００７】
本発明は前記目的を達成するために、所定記録パワーの青色レーザを照射することにより光情報記録媒体に情報を記録する光情報記録装置において、記録パワーを変化させたテスト記録を行い、該テスト記録の再生信号におけるアシンメトリ値に基づいて記録パワーを設定するアシンメトリ値記録パワー設定手段と、記録パワーを変化させたテスト記録を行い、該テスト記録の再生信号における最長記録マークの変調度に基づいて記録パワーを設定する変調度記録パワー設定手段と、光情報記録媒体に記録された所定の情報に基づいて、アシンメトリ値記録パワー設定手段及び変調度記録パワー設定手段のうち何れか一方を選択する選択手段とを備えた光情報記録装置を提案する。
【０００８】
この光情報記録装置によれば、光情報記録媒体に記録された所定の情報に基づいて、アシンメトリ値記録パワー設定手段及び変調度記録パワー設定手段のうち何れか一方が選択されるので、アシンメトリ値に基づく記録パワーの設定と最長記録マークの変調度に基づく記録パワーの設定との両方を行うことがなく、テスト記録の再生信号におけるアシンメトリ値が記録パワーの変化に対して直線状に変化しない光情報記録媒体であっても、テスト記録の再生信号における最長記録マークの変調度に基づいて記録パワーを設定することが可能となる。
【０００９】
また、本発明は前記目的を達成するために、所定記録パワーの青色レーザを照射することにより光情報記録媒体に情報を記録する光情報記録方法において、光情報記録媒体に記録された所定の情報に基づいて、アシンメトリ値に基づく記録パワーの設定及び変調度に基づく記録パワーの設定のうち何れか一方を選択し、アシンメトリ値に基づく記録パワーの設定が選択されたときに、記録パワーを変化させたテスト記録を行い、該テスト記録の再生信号におけるアシンメトリ値に基づいて記録パワーを設定し、変調度に基づく記録パワーの設定が選択されたときに、記録パワーを変化させたテスト記録を行い、該テスト記録の再生信号における最長記録マークの変調度に基づいて記録パワーを設定する光情報記録方法を提案する。
【００１０】
この光情報記録方法によれば、光情報記録媒体に記録された所定の情報に基づいて、アシンメトリ値に基づく記録パワーの設定及び変調度に基づく記録パワーの設定のうち何れか一方が選択されるので、アシンメトリ値に基づく記録パワーの設定と最長記録マークの変調度に基づく記録パワーの設定との両方を行うことがなく、テスト記録の再生信号におけるアシンメトリ値が記録パワーの変化に対して直線状に変化しない光情報記録媒体であっても、テスト記録の再生信号における最長記録マークの変調度に基づいて記録パワーを設定することが可能となる。
【発明の効果】
【００１１】
本発明に係る光情報記録装置によれば、アシンメトリ値に基づく記録パワーの設定と最長記録マークの変調度に基づく記録パワーの設定との両方を行うことがなく、テスト記録の再生信号におけるアシンメトリ値が記録パワーの変化に対して直線状に変化しない光情報記録媒体であっても、テスト記録の再生信号における最長記録マークの変調度に基づいて記録パワーを設定することが可能となるから、短時間で記録パワーを設定することができ、光情報記録媒体に応じた適切な記録パワーを容易に設定することがきる。
【００１２】
また、本発明に係る光情報記録方法によれば、アシンメトリ値に基づく記録パワーの設定と最長記録マークの変調度に基づく記録パワーの設定との両方を行うことがなく、テスト記録の再生信号におけるアシンメトリ値が記録パワーの変化に対して直線状に変化しない光情報記録媒体であっても、テスト記録の再生信号における最長記録マークの変調度に基づいて記録パワーを設定することが可能となるから、短時間で記録パワーを設定することができ、光情報記録媒体に応じた適切な記録パワーを容易に設定することがきる。
【発明を実施するための最良の形態】
【００１３】
図１乃至図６は本発明の一実施形態を示すもので、図１は光情報記録装置の概略ブロック図、図２は図１に示したディスクを説明する平面図、図３は再生信号における最長記録マークと最短記録マークの振幅を示す概念図、図４は記録パワー設定処理のフローチャート、図５は記録パワーとアシンメトリ値との関係を示すグラフ、図６は記録パワーと変調度及び変調度の変化率との関係を示すグラフである。
【００１４】
図１に示すように、光情報記録装置（以下、単にドライブという）１００は、エンコーダ１０１、ストラテジ回路１０２、レーザ発振器１０３、コリメータレンズ１０４、ハーフミラー１０５、対物レンズ１０６、集光レンズ１０７、受光部１０８、信号検出回路１０９、符号判定回路１１０、デコーダ１１１、符号判定回路１１２、アシンメトリ値検出回路１１３、変調度検出回路１１４、制御回路１１５、及び記憶回路１１６から構成されており、記録可能な光情報記録媒体（以下、単にディスクという）１０に対して青色レーザを照射して情報の記録又は再生を行う。
【００１５】
エンコーダ１０１は、所定の記録情報に対応した記録信号を符号化するためのものであり、所定の符号化方式、例えば１−７ＰＰ変調方式で符号化した記録データをストラテジ回路１０２に出力している。
【００１６】
ストラテジ回路１０２には、青色レーザの照射条件であるライトストラテジを設定するためのものであり、所定のライトストラテジの各種パラメータが設定されている。ストラテジ回路１０２は、後述する制御回路１１５から入力される制御信号に基づいてストラテジの各種パラメータを補正して、ディスク１０に所望の記録状態が得られるであろう記録パルスを生成し、レーザ発振器１０３に出力している。
【００１７】
レーザ発振器１０３は、記録パルスに対応して出力する青色レーザの強度やパルス幅を制御し、制御された青色レーザをコリメータレンズ１０４、ハーフミラー１０５、及び対物レンズ１０６を介して線速一定又は角速度度一定で回転するディスク１０に照射している。これにより、ディスク１０の記録層に記録マークとスペース（記録マークと記録マークとの間）とからなる記録マーク列が形成され、所定の記録情報が記録される。
【００１８】
これに対してディスク１０の記録層に記録された情報を再生する場合、レーザ発振器１０３は、一様な再生青色レーザをコリメータレンズ１０４、ハーフミラー１０５、及び対物レンズ１０６を介して線速一定又は角速度度一定で回転するメディア１０に照射している。
【００１９】
再生青色レーザは記録時の青色レーザよりも強度の弱い青色レーザが用いられており、受光部１０８は、再生青色レーザによるメディア１０からの反射光を対物レンズ１０６、ハーフミラー１０５、及び集光レンズ１０７を介して受光し、電気信号に変換して信号検出回路１０９に出力している。
【００２０】
受光部１０８が出力する電気信号は、図２に示すようにディスク１０内周部の設定領域１１に記録されたディスク種類を表すメディアＩＤ及び記録パワーの設定方法を表すＯＰＣ（Optical Power Control）方式と、ドライブ１００によって記録された記録マーク列とに対応しており、信号検出回路１０９は電気信号に含まれるＲＦ信号とウォブル信号とを検出し、符号判定回路１１０と後述するアシンメトリ値検出回路１１３及び変調度検出回路１１４のうち何れか一方とにＲＦ信号を出力するとともに、ウォブル信号を後述する符号判定回路１１２に出力している。
【００２１】
符号判定回路１１０は、例えば前述のＰＲＭＬ等の二値化処理によりＲＦ信号を符号化して符号化されたＲＦ信号から所定周期Ｔのクロック信号を生成し、符号化されたＲＦ信号をデコーダ１１１に出力している。
【００２２】
デコーダ１１１は、符号化されたＲＦ信号をさらに復号化し、再生信号として出力している。
【００２３】
符号判定回路１１２は、信号検出回路１０９から入力されるウォブル信号に含まれるメディアＩＤ及びＯＰＣ方式を制御回路１１５に出力している。
【００２４】
アシンメトリ値検出回路１１３は信号検出回路１０９から入力されるＲＦ信号におけるアシンメトリ値を検出し、制御回路１１５に出力している。
【００２５】
変調度検出回路１１４は信号検出回路１０９から入力されるＲＦ信号における最長記録マークの変調度を検出するとともに、検出した変調度の記録パワーに対する変化率を算出し、算出した変調度変化率を制御回路１１５に出力している。
【００２６】
制御回路１１５はＣＰＵ及びＲＡＭ、ＲＯＭ等のメモリ等を備えた周知のマイクロプロセッサであり、入力された信号、及び自己のメモリにあらかじめ記憶されたプログラムに基づいて動作し、選択部１１５ａ及びストラテジ決定部１１５ｂを有している。選択部１１５ａはディスク１０に適した記録パワーの設定方法を選択するためのものであり、符号判定回路１１２から入力されるＯＰＣ方式に基づいて、信号検出回路１０９がアシンメトリ値検出回路１１３及び変調度検出回路１１４のうち何れか一方にＲＦ信号を出力するように信号検出回路１０９に制御信号を出力するととともに、符号判定回路１１２から入力されるメディアＩＤ及び記憶回路１１６に記憶されている情報をストラテジ決定部１１５ｂに出力している。ストラテジ決定部１１５ｂはディスク１０に対応するライトストラテジを決定するためのものであり、選択部１１５ａから入力されるメディアＩＤ及び記憶回路１１６に記憶されている情報と、記憶回路１１６に記憶されている標準記録条件と、アシンメトリ値検出回路１１３から入力されるアシンメトリ値又は変調度検出回路１１４から入力される変調度変化率とに基づいて、再生信号のβ値が目標β値になる記録パワーの記録パルスをストラテジ回路１０２が生成するようにストラテジ回路１０２に制御信号を出力している。
【００２７】
記憶回路１１６は、ＥＥＰＲＯＭ等の書き換え可能な記録素子等から構成されており、ディスク１０に記録されたメディアＩＤごとに設定される、標準ドライブ及び標準ディスクで適切な再生信号を得られる記録条件を表す標準記録条件、最適な記録パワーにおけるアシンメトリ値を表す目標アシンメトリ値Ａ０、所定の記録パワーにおける変調度変化率を表す目標変調度変化率ｄｍ０／ｄＰ、及び最適な記録パワーを求めるための定数を表す記録パワー係数ρを記憶している。
【００２８】
ディスク１０に形成される記録マーク列は、理論上、ドライブ１００の符号判定回路１１０が生成するクロック信号の周期Ｔに対してｎＴ（ｎは正の整数）の長さを有しており、ディスク１０に記録されたメディアＩＤごとに例えばｎ＝２〜８の整数となる長さの異なる複数の記録マークが形成され得る。各記録マークに対応する記録パルスはストラテジ回路１０２によって設定される。なお、以下の説明において特に記載のない限り、メディアＩＤに対して長さｎＴ（ｎ＝２〜８の整数）となる記録マークが対応するものとする。
【００２９】
ここで、図３に示すように、アシンメトリ値検出回路１１３において検出されるアシンメトリ値Ａは、ＲＦ信号の最短記録マーク２Ｔにおけるハイレベルの振幅Ｉ２Ｈ及びローレベルの振幅Ｉ２Ｌと、ＲＦ信号の最長記録マーク８Ｔにおけるハイレベルの振幅Ｉ８Ｈ及びローレベルの振幅Ｉ８Ｌとから以下の式（１）で表される。
【００３０】
Ａ＝｛（Ｉ８Ｈ＋Ｉ８Ｌ）−（Ｉ２Ｈ＋Ｉ２Ｌ）｝／｛２×（Ｉ８Ｈ−Ｉ８Ｌ）｝  …（１）
また、変調度検出回路１１４において検出される変調度ｍは、ＲＦ信号の最長記録マーク８Ｔにおけるハイレベルの振幅Ｉ８Ｈ及びローレベルの振幅Ｉ８Ｌから以下の式（２）で表される。
【００３１】
ｍ＝（Ｉ８Ｈ−Ｉ８Ｌ）／Ｉ８Ｈ  …（２）
このようなドライブ１００とディスク１０で構成された記録システムにおいて、ディスク１０の記録領域１２に所定の記録情報を記録する前に、目標記録パワー設定処理Ｓ１００が実行される。
【００３２】
すなわち、図４に示すように、ドライブ１００にディスク１０が装填されると、レーザ発振器１０３がディスク１０の設定領域１１に再生青色レーザを照射して設定領域１１の情報を再生し、選択部１１５ａは符号判定回路１１２から入力されるメディアＩＤを取得し、ストラテジ決定部１１５ｂは選択部１１５ａからメディアＩＤを取得する（ステップＳ１０１）。
【００３３】
次に、ストラテジ決定部１１５ｂは取得したメディアＩＤに対応する標準記録条件を記憶回路１１６から読み込んで設定し（ステップＳ１０２）、選択部１１６ａは符号判定回路１１２から入力されるＯＰＣ方式を取得する（ステップＳ１０３）。
【００３４】
次に、選択部１１５ａは取得したＯＰＣ方式がＲＦ信号のアシンメトリ値に基づく記録パワーの設定か否かを判定する（ステップＳ１０４）。
【００３５】
ステップＳ１０４の判定の結果、ＯＰＣ方式がＲＦ信号のアシンメトリ値に基づく記録パワーの設定の場合、標準記録条件から記録パワーを変化させ、最短記録マーク２Ｔ及び最長記録マーク８Ｔの記録パルスを含む記録条件で、レーザ発振器１０３がディスク１０の設定領域１１に青色レーザを照射してテスト記録を行う（ステップＳ１０５）。
【００３６】
次に、レーザ発振器１０３がディスク１０の設定領域１１に再生青色レーザを照射してテスト記録を再生し、選択部１１５ａは信号検出回路１０９がＲＦ信号をアシンメトリ値検出回路１１３に出力するように信号検出回路１０９に制御信号を出力するとともに、記憶回路１１６からメディアＩＤに対応する目標アシンメトリ値Ａ０を読み込んでストラテジ決定部１１５ｂに出力し、アシンメトリ値検出回路１１３は信号検出回路１０９から入力されるＲＦ信号から前述の式（１）で表されるアシンメトリ値Ａを検出してストラテジ決定部１１５ｂに出力する（ステップＳ１０６）。
【００３７】
ストラテジ決定部１１５ｂは、アシンメトリ値検出回路１１３から入力されるアシンメトリ値Ａが選択部１１５ａから入力される目標アシンメトリ値Ａ０になるときの記録パワーＰ０を、ディスク１０の記録領域１２に所定の記録情報を記録する際の記録パワーとして設定する（ステップＳ１０７）。
【００３８】
ここで、ＯＰＣ方式がＲＦ信号のアシンメトリ値に設定されているディスク１０の場合、アシンメトリ値検出回路１１３で検出されるＲＦ信号のアシンメトリ値Ａは、図５に示すように記録パワーＰの変化に対して直線状に変化する。これにより、最適な記録パワーを設定することができる。
【００３９】
また、ステップＳ１０４の判定の結果、ＯＰＣ方式がＲＦ信号の最長記録マークの変調度に基づく記録パワーの設定の場合、標準記録条件から記録パワーを変化させ、最長記録マーク８Ｔの記録パルスを含む記録条件で、レーザ発振器１０３がディスク１０の設定領域１１に青色レーザを照射してテスト記録を行う（ステップＳ１０８）。
【００４０】
次に、レーザ発振器１０３がディスク１０の設定領域１１に再生青色レーザを照射してテスト記録を再生し、選択部１１５ａは信号検出回路１０９がＲＦ信号を変調度検出回路１１４に出力するように信号検出回路１０９に制御信号を出力するとともに、メディアＩＤに対応する目標変調度変化率ｄｍ０／ｄＰ及びパワー記録係数ρを記憶回路１１６から読み込んでストラテジ決定部１１５ｂに出力し、変調度値検出回路１１４は信号検出回路１０９から入力されるＲＦ信号から前述の式（２）で表される最長記録マーク８Ｔの変調度ｍを検出し（ステップＳ１０９）、検出した最長記録マーク８Ｔの変調度ｍの記録パワーに対する変調度変化率ｄｍ／ｄＰを算出してストラテジ決定部１１５ｂに出力する（ステップＳ１１０）。
【００４１】
ストラテジ決定部１１５ｂは、変調度検出回路１１４から入力される変調度変化率ｄｍ／ｄＰが選択部１１５ａから入力される目標変調度変化率ｄｍ０／ｄＰになるときの記録パワーＰｔを求め、以下の以下の式（３）で表される記録パワーＰ０を、ディスク１０の記録領域１２に所定の記録情報を記録する際の記録パワーとして設定する（ステップＳ１１１）。
【００４２】
Ｐ０＝ρ×Ｐｔ  …（３）
ここで、ＯＰＣ方式がＲＦ信号の最長記録マークの変調度に設定されているディスク１０の場合、変調度検出回路１１４で検出されるＲＦ信号の最長記録マーク８Ｔの変調度ｍと算出される変調度変化率ｄｍ／ｄＰとは、記録パワーＰの変化に対して図６に示すように変化する。これにより、アシンメトリ値に基づく記録パワーの設定と最長記録マークの変調度に基づく記録パワーの設定との両方を行うことがなく、テスト記録の再生信号におけるアシンメトリ値Ａが記録パワーの変化に対して直線状に変化しないディスク１０であっても、テスト記録のＲＦ信号における最長記録マーク８Ｔの変調度ｍに基づいて記録パワーＰ０を設定することが可能となる。
【００４３】
このように、本発明によれば、ディスク１０の設定領域１１に記録されたＯＰＣ方式に基づいて、アシンメトリ値に基づく記録パワーの設定及び最長記録マークの変調度に基づく記録パワーの設定のうち何れか一方が選択されるので、アシンメトリ値に基づく記録パワーの設定と最長記録マークの変調度に基づく記録パワーの設定との両方を行うことがなく、テスト記録の再生信号におけるアシンメトリ値Ａが記録パワーの変化に対して直線状に変化しないディスク１０であっても、テスト記録のＲＦ信号における最長記録マーク８Ｔの変調度ｍに基づいて記録パワーＰ０を設定することが可能となるから、短時間で記録パワーＰ０を設定することができ、ディスク１０に応じた適切な記録パワーを容易に設定することがきる。
【００４４】
なお、本発明の構成及び動作は前述の実施形態のみに限定されるものではなく、本発明の要旨を逸脱しない範囲内において種々変更を加えてもよい。
【図面の簡単な説明】
【００４５】
【図１】光情報記録装置の概略ブロック図
【図２】図２は図１に示したディスクを説明する平面図
【図３】再生信号における最長記録マークと最短記録マークの振幅を示す概念図
【図４】記録パワー設定処理のフローチャート
【図５】記録パワーとアシンメトリ値との関係を示すグラフ
【図６】記録パワーと変調度及び変調度変化率との関係を示すグラフ
【図７】従来の記録パワー設定における記録パワーとβ値との関係を示すグラフ
【符号の説明】
【００４６】
１０…ディスク、１００…ドライブ、１１３…アシンメトリ値検出回路、１１４…変調度検出回路、１１５ａ…選択部、１１５ｂ…ストラテジ決定部。
【図１】
2008140523.tif 000003
【図２】
2008140523.tif 000004
【図３】
2008140523.tif 000005
【図４】
2008140523.tif 000006
【図５】
2008140523.tif 000007
【図６】
2008140523.tif 000008
【図７】
2008140523.tif 000009